(57)【特許請求の範囲】
【請求項１】
絶縁体からなり底面に複数個の固定接点を設け、上部が開口したケースと、このケースの開口部を覆い、このケースに装着されたカバーと、上記カバーまたはケース側面より外方に突出する操作体と上記ケース内を摺動可能に収納されたスライダーからなるレバーと、このスライダーの一部に装着されてケースまたはカバーに設けられたカム山に圧接され、レバー操作時に上記カム山を乗り越える節度バネ部と上記固定接点上を摺動する接触片部より成る接触片からなり、上記接触片は上記節度バネ部の長手方向に平行なスリットを介して両端が上記節度バネ部の両端と接続された板バネ部を有すると共に、この板バネ部の中央部側面に上記板バネ部に平行に連結して上記接触片部を一体に設けたスイッチ。
【請求項２】
板バネ部は中央部と端部との間の略真中の位置に狭間部を設けた請求項１記載のスイッチ。
【発明の詳細な説明】
【０００１】
【産業上の利用分野】
本発明は主として民生用電子機器等に利用されるスイッチに関するものである。
【０００２】
【従来の技術】
以下に従来のスイッチについて説明する。
【０００３】
図７は従来のスイッチの斜視図であり、図８は図７の分解斜視図を示すものである。同図において２１はカバー、２２はレバー、２３は複数個の固定接点２２ｂを有するケース、２４はバネ材よりなる節度バネ、２５は導電性のバネ材よりなる接触片である。
【０００４】
以上のように構成されたスライドスイッチの動作について図８を用いて説明する。
【０００５】
まず、レバー２２を操作することにより、レバー２２に形成されたカム山２２ａをカバー２１に取り付けられ前記カム山２２ａに圧接された節度バネ２４が乗り越え、節度感を出す。このとき、レバー２２に取り付けられた接触片２５がレバー２２を操作することにより、ケース２３内の別の固定接点と接触し、スイッチの切換を行うという構成になっている。
【０００６】
【発明が解決しようとする課題】
しかしながら、上記従来の構成では、接触片に求められる低荷重・弾性性能と、節度バネに求められる高荷重・剛性性能は相反する性能のため別部材で構成する必要があり、部品点数の削減のネックとなっていた。
【０００７】
本発明は、上記従来の課題を解決するもので、同一材厚の材料で上記２つの機能を兼ね備え、低コストで、組込みやすいスイッチを提供することを目的とする。
【０００８】
【課題を解決するための手段】
この目的を達成するために本発明のスイッチにおいて接触片を、導電性金属から成り節度バネ部とこの節度バネ部の長手方向に平行なスリットを介して両端が上記節度バネ部の両端と接続された板バネ部とこの板バネ部の中央部側面に上記板バネ部に平行に連結しておりケース底部の固定接点と接触し導通させる接触片部とで構成したものである。
【０００９】
【作用】
この構成によって、同一材厚の材料で節度バネ部は節度感を得るための高荷重・剛性性能を有することが可能となり、かつ接触片部のタワミに加え板バネ部のタワミとネジレによって、接触片部に要求される低荷重・弾性性能を有することが可能なため、従来の節度バネと接触片を一体化して部品点数の削減を可能とした。
【００１０】
【実施例】
以下に本発明のスイッチの一実施例を図１、図２を用いて説明する。同図において１は絶縁体からなり底辺に複数個の固定接点１ａとカム山１ｂを有したケース、２は前記ケース１の内部に摺動可能に収納されたスライダー２ａとカバー上方に突出する操作体２ｂとからなるレバー、３は前記ケース１の開口部を覆うカバー、４はバネ性を有し導電性金属からなり前記スライダー２ａに取り付けられ前記カム山１ｂに圧接されている節度バネ部４ａを有し、かつこの節度バネ部４ａの長手方向に平行なスリットを介して一部が連結した板バネ部４ｂを有し、なおかつ前記板バネ部４ｂの中央部側面に連結した前記固定接点１ａの２箇所以上と摺接し導通させる接触片部４ｃを有する接触片である。
【００１１】
以上のように構成されたスイッチについて、図１を用いてその動作を説明する。まず、レバー２の操作体２ｂを操作することにより、ケース１内にあるカム山１ｂに圧接されスライダー２ａに取り付けられた節度バネ部４ａはこのカム山１ｂを乗り越え節度感を出す。このとき、同じくスライダー２ａに取り付けられケース１の底部にある固定接点１ａと接している接触片部４ｃは自らのタワミに加え、板バネ部４ｂが節度バネ部４ａとスリットを介して連結されているのでタワミとネジレによって、節度バネ部と同じ材厚を用いながらも従来の接触片と同等の低荷重の弾性性能を得ることを可能としている。
【００１２】
以上のような本実施例によれば、接触片４は従来各々相反する特性を持ち材厚も異なった節度バネと接触片を、板バネ部を設けることにより同一材料で構成しかつ各々の特性を満足することが可能となり、低コストで組込みやすいスイッチを提供することができる。
【００１３】
以下に本発明の他の実施例を図３、図４を用いて説明する。なお、基本的には図１に示した実施例と同様の構成であるため同一構成部品には同一番号を付して詳細な説明を省略して説明する。同図において、図１の実施例と異なる点は、接触片４の板バネ部４ｂの中央部４ｆと端部４ｅの略真中に狭間部４ｄを設けた点である。
【００１４】
なお、基本的な動作については実施例１と同様であるため詳細な説明は省略し、接触片４の板バネ部４ｂの説明についてのみ行う。
【００１５】
板バネ部４ｂの中央部４ｆと端部４ｅの略真中に設けられた狭間部４ｄは、中央部４ｆや端部４ｅより幅が狭いため図１の実施例で示した接触片４よりもさらにバネ定数の低下が可能となる。以上のような本実施例によれば、接触片４の板バネ部４ｂの中央部４ｆと端部４ｅの略真中に設けた狭間部４ｄにより接触片部４ｃのバネ定数の低下が可能となり、接触片部４ｃの製造のバラツキに伴う弾性力のバラツキを吸収し易い優れたスイッチを提供することができるものである。
【００１６】
以下に本発明の他の実施例を図５を用いて説明する。
同図において１１は絶縁体からなり底辺に複数個の固定接点１１ａとカム山１１ｂを有したケース、１２は前記ケース１１の内部に収納されたスライダー１２ａと操作体１２ｂからなるレバー、１５はこのレバー１２を押圧し、自動復帰させるための復帰バネ、１３は前記ケース１１の開口部を覆うカバー、４は図２に記載のものと同様のバネ性を有し導電性金属からなり前記スライダー１２ａに取り付けられ前記カム山１１ｂに圧接されている節度バネ部４ａを有し、かつ、この節度バネ部４ａにスリットを介して一部が連結し中央部１４ｆと端部１４ｅの略真中に狭間部４ｄを持つ板バネ部４ｂを有し、なおかつ前記板バネ部４ｂと連結しており前記固定接点１１ａの２箇所以上と接触し導通させる接触片部４ｃを有する接触片である。
【００１７】
以上のように構成されたスイッチについて、図５を用いてその動作を説明する。まず、レバー１２を押圧することにより、復帰バネの全長が押し縮められる。この時ケース１１内にあるカム山１１ｂに圧接されスライダー１２ａに取り付けられた節度バネ部４ａはこのカム山１１ｂを乗り越え節度感を出す。このとき同じくスライダー１２ａに取り付けられケース１１の底部にある固定接点１１ａと接している接触片部４ｃは自らのタワミに加え板バネ部４ｂのタワミとネジレの影響で、節度バネ部と同じ材厚を用いながらも従来の接触片と同様の低荷重の弾性力を有するものとなっている。
【００１８】
また、レバー１２の押圧を止めると復帰バネ１５の復元力でレバー１２はもとの位置に復帰する。以上のような本実施例によれば、接触片４は従来各々相反する特性を持ち材厚も異なった節度バネと接触片を、板バネ部を設けることにより、同一材料で構成しかつ各々の特性を満足することが可能となり、低コストで組込みやすいスイッチを提供することができる。
【００１９】
なお、上記各実施例において、本発明の要部である接触片を図２および図４で説明したが、図６（ａ）に示すごとく、板バネ部４ｂが節度バネ部４ａに片持ちされているもの、さらに、図６（ｂ）に示すごとく、接触片部４ｃと節度バネ部４ａの方向が異なったもの、図６（ｃ）に示すごとく、接触片部４ｃと節度バネ部４ａの方向が図２の接触片と異なり１８０°逆になっているもの（この図６（ｂ）と図６（ｃ）の場合、カム山１ｂ，１１ｂはカバー３，１３側に凸部を設けて構成される。）であっても良い。
【００２０】
【発明の効果】
以上のように本発明は、一部品で節度バネ部には高荷重・剛性性能を接触片部には低荷重・弾性性能を付与することができ、組込み易く、低コストを満足できる優れたスイッチを実現できるものである。
【図面の簡単な説明】
【図１】本発明のスイッチの一実施例の分解斜視図
【図２】同要部である接触片の斜視図
【図３】同他の実施例の分解斜視図
【図４】同要部である接触片の上面図
【図５】同他の実施例の断面図
【図６】同要部である接触片の他の実施例の斜視図
【図７】従来のスイッチの斜視図
【図８】同分解斜視図
【符号の説明】
１  ケース
１ａ  固定接点
１ｂ  カム山
２  レバー
２ａ  スライダー
２ｂ  操作体
３  カバー
４  接触片
４ａ  節度バネ部
４ｂ  板バネ部
４ｃ  接触片部
４ｄ  狭間部
４ｅ  端部
４ｆ  中央部
５  復帰バネ
【図１】
0003543398.tif 000002
【図２】
0003543398.tif 000003
【図３】
0003543398.tif 000004
【図４】
0003543398.tif 000005
【図５】
0003543398.tif 000006
【図６】
0003543398.tif 000007
【図７】
0003543398.tif 000008
【図８】
0003543398.tif 000009